(57)【特許請求の範囲】
【請求項１】
基材と、前記基材に対して部分的に剥離可能に設けられて剥離に伴って表示が現れる接着層と、を有する封緘シールであって、
被梱包物に貼り付けられる一端と、前記被梱包物が梱包された梱包材を封じた封止部に貼り付けられる他端と、を備え、
前記一端は、帯状の第１の貼付け片を有し、
前記他端は、枠状の第２の貼付け片を有し、
前記第１の貼付け片は、前記第２の貼付け片の内側に配置され、長手方向における一端が、前記第２の貼付け片の内側に連結されている、封緘シール。
【請求項２】
前記一端は、前記梱包材に梱包される複数の前記被梱包物にそれぞれ貼り付けられる複数の第１の貼付け片を有する、請求項１に記載の封緘シール。
【請求項３】
基材と、前記基材に対して部分的に剥離可能に設けられて剥離に伴って表示が現れる接着層と、を有する封緘シールであって、
被梱包物に貼り付けられる一端と、前記被梱包物が梱包された梱包材を封じた封止部に貼り付けられる他端と、を備え、
前記一端は、前記梱包材に梱包される複数の前記被梱包物にそれぞれ貼り付けられる複数の第１の貼付け片を有する、封緘シール。
【請求項４】
基材と接着層との部分的な剥離に伴って表示が現れる封緘シールの一端を被梱包物に貼り付ける第１のステップと、
前記一端が貼り付けられた前記被梱包物を梱包材によって梱包すると共に、前記封緘シールの他端を、前記梱包材を封じた封止部に貼り付ける第２のステップと、
を有する梱包方法。
【発明の詳細な説明】
【技術分野】
【０００１】
本発明は、封緘シール及び梱包方法に関する。
【背景技術】
【０００２】
従来、被梱包物を梱包した梱包材の開封の有無を判別するために、封緘シール（開封検査用テープ）が用いられている。この種の封緘シールは、例えば、基材と、基材に対して部分的に剥離することで表示が現れる接着層とを有する。封緘シールは、梱包材に貼り付けた後に剥がされたとき、梱包材に接着された接着層側、及び接着層から剥離した基材側に所定の表示が現れることによって、梱包材の開封状態を容易に判別可能にする。
【０００３】
このような封緘シールは、保守部品を取り扱うサポートセンタ、例えばＰＣ（パーソナルコンピュータ）等の電子機器の故障を修理するサポートセンタにおいても利用されている。サポートセンタでは、例えば、ユーザのＰＣを修理する際、ユーザの故障した電子部品の代替品をユーザに送っている。ユーザのＰＣのハードディスクドライブ装置が故障した場合には、代替品としてのハードディスクドライブ装置がユーザに発送される。このような代替品は、段ボール箱等の梱包材によって梱包されて送られる。このとき、梱包材には、接着テープで封じられた封止部に、上述した封緘シールを貼り付けることで、封緘シールの貼付け状態に基づいて、梱包材の開封の有無が判別されている。
【先行技術文献】
【特許文献】
【０００４】
【特許文献１】特開２００５−２５０１５７号公報
【特許文献２】特開２００４−１９６３３６号公報
【発明の概要】
【発明が解決しようとする課題】
【０００５】
ところで、上述したように、ユーザまたは修理に出張した修理員が修理を行う際、梱包箱を開封することで封緘シールが剥がされ、梱包材から取り出された代替品が使用される。代替品が使用された場合には、代替品の代わりにユーザの故障部品が梱包材に収容され、梱包材が接着テープを用いて封じられて、サポートセンタに返送される。また、修理がキャンセルされた場合には、梱包材が開封されずに返送されることになる。
【０００６】
しかし、代替品は故障個所の想定に基づいて発送されているので、実際の故障個所とは異なる代替品がユーザに届けられる場合もある。この場合、代替品を使用せずに修理したときに梱包材が開封されないことがある。あるいは、梱包材を開封した後、修理に使用しない代替品であることが確認されたときに、代替品が使用されないことがある。したがって、この場合、梱包材のみが開封された状態で、代替品は、梱包材から代替品が取り出されることなく、未使用のままで、サポートセンタへ返却される。返却される際、代替品が取り出されていない梱包材が、接着テープを用いて封じられて返送される。
【０００７】
このため、サービスセンタでは、梱包材に貼られた封緘シールの貼付け状態に基づいて梱包材の開封の有無を判別することが可能である。梱包材が開封されていないと判別されたとき、梱包材内の代替品は、代替品として再利用される。しかしながら、梱包材が開封されたと判別されたとき、梱包材に収容されている被梱包物が、未使用の代替品であるか、回収された故障部品であるかを判別することが困難であった。
【０００８】
そのため、梱包材の開封が判別されたときに、被梱包物が代替品か修理部品であるかを判別せずにすべて廃棄処分する運用を行った場合には、未使用の代替品を廃棄することで損失が発生した。また、梱包材の開封が判別されたときに、被梱包物が代替品か修理部品であるかを判別する場合には、被梱包物を梱包材から取り出し、被梱包物の状態から判別する煩雑な工程が増えると共に、判別作業に熟練を要していた。このため、被梱包物を誤って判別した場合には、未使用の代替品を廃棄したり、故障部品を代替品として再利用したりする問題があった。特に、故障部品が代替品として誤って使用された場合には、修理が長期化して、多大な損失を招いていた。したがって、上述したように封緘シールを用いた場合であっても、梱包材の開封の有無を判別できるが、梱包材に梱包された被梱包物の使用の有無を判別することが困難であり、判別作業が煩雑であった。
【０００９】
また、上述の問題の対策として、代替品側にも封緘シールを貼り付けることで、代替品の使用の有無を判別可能にすることが考えられる。しかし、２種類の封緘シールの管理や取扱いが煩雑になると共に、特に被梱包物である代替品に貼り付ける封緘シールの貼付け位置が、代替品の種類毎に異なったり、個々の代替品毎にバラツキが生じたりするおそれがある。そのため、代替品に貼り付けられた封緘シールの開封の有無を判別する判別作業が煩雑になる。また、梱包材に貼り付ける外側の封緘シールとは別体の内側の封緘シールを被梱包物に貼り付けることで、内側の封緘シールの貼り忘れが起きるおそれがある。
【００１０】
開示の技術は、上記に鑑みてなされたものであって、封緘シールの貼付け状態を目視することで、梱包材の開封の有無と共に被梱包物の使用の有無を容易に判別することが可能な封緘シール及び梱包方法を提供することを目的とする。
【課題を解決するための手段】
【００１１】
本願の開示する封緘シールの一態様は、基材と、前記基材に対して部分的に剥離可能に設けられて剥離に伴って表示が現れる接着層と、を有する封緘シールであって、被梱包物に貼り付けられる一端と、前記被梱包物が梱包された梱包材を封じた封止部に貼り付けられる他端と、を備え、前記一端は、帯状の第１の貼付け片を有し、前記他端は、枠状の第２の貼付け片を有し、前記第１の貼付け片は、前記第２の貼付け片の内側に配置され、長手方向における一端が、前記第２の貼付け片の内側に連結されている。
【発明の効果】
【００１２】
本願の開示する封緘シールの一態様によれば、封緘シールの貼付け状態を目視することで、梱包材の開封の有無と共に被梱包物の使用の有無を容易に判別することを可能にするという効果を奏する。
【図面の簡単な説明】
【００１３】
【図１】図１は、実施例１の封緘シールを示す平面図である。
【図２】図２は、実施例１の封緘シールを示す平面図である。
【図３】図３は、実施例１の封緘シールを示す断面図である。
【図４】図４は、実施例１の封緘シールを貼付け後に剥がした状態を示す断面図である。
【図５】図５は、実施例１の封緘シールを貼付け後に剥がした状態を示す平面図である。
【図６】図６は、実施例１の封緘シールを貼付け後に剥がした状態を示す平面図である。
【図７】図７は、実施例１の封緘シールを用いて、被梱包物を梱包材で梱包した状態を示す斜視図である。
【図８】図８は、実施例１の封緘シールを用いて、被梱包物を梱包した梱包材を示す平面図である。
【図９】図９は、実施例１において、梱包材に被梱包物が収容される状態を示す斜視図である。
【図１０】図１０は、実施例１において、被梱包物に封緘シールが貼り付けられた状態を示す斜視図である。
【図１１】図１１は、実施例１において、封緘シールが貼り付けられた被梱包物が、梱包材によって梱包される状態を示す斜視図である。
【図１２】図１２は、実施例１において、被梱包物に貼り付けられた封緘シールが、梱包材の外側に引き出される状態を示す斜視図である。
【図１３】図１３は、実施例１において、被梱包物を梱包した梱包材が封じられた状態を示す斜視図である。
【図１４】図１４は、実施例１において、梱包材の封止部に沿って封緘シールが貼り付けられた状態を示す斜視図である。
【図１５】図１５は、実施例１において、被梱包物に貼り付けられた封緘シールが剥がされた状態を示す平面図である。
【図１６】図１６は、実施例２における封緘シールを示す平面図である。
【図１７】図１７は、実施例３における封緘シールを示す平面図である。
【発明を実施するための形態】
【００１４】
以下に、本願の開示する封緘シール及び梱包方法の実施例を図面に基づいて詳細に説明する。なお、以下の実施例によって、本願の開示する封緘シール及び梱包方法が限定されるものではない。
【００１５】
［実施例１］
図１及び図２は、実施例１の封緘シールを示す平面図である。図３は、実施例１の封緘シールを示す断面図である。図４は、実施例１の封緘シールを貼付け後に剥がした状態を示す断面図である。図５及び図６は、実施例１の封緘シールを貼付け後に剥がした状態を示す平面図である。図７は、実施例１の封緘シールを用いて、被梱包物を梱包材で梱包した状態を示す斜視図である。
【００１６】
（封緘シールの構成）
図１及び図２に示すように、実施例１の封緘シール１は、帯状の第１の貼付け片１３と、枠状の第２の貼付け片１４とを有する。
【００１７】
図３及び図４に示すように、実施例１の封緘シール１は、基材１ａと、接着層１ｂとを有する。接着層１ｂは、封緘シール１を貼り付け後に剥がしたときに、基材１ａに対して部分的に剥離可能に設けられており、図５及び図６に示すように、剥離に伴って所定の表示が現れる。本実施例では、表示の一例として、「封緘」の文字が現れるように形成されたが、封緘シール１が剥がされたことを判別可能な表示であればよく、他の文字や図形、模様等の表示が現れるように形成されてもよい。
【００１８】
封緘シール１は、図３に示すように、基材１ａと、接着層１ｂと、接着層１ｂから基材１ａを剥がしたときに現れる表示を含む印刷層１ｃと、印刷層１ｃの表示に対応する一部と基材１ａとを剥離するための剥離層１ｄと、を有する。基材１ａは、例えばＰＥＴ（ポリエチレンテレフタレート）やＰＰ（ポリプロピレン）等の樹脂材によって帯状に形成されている。印刷層１ｃは、基材１ａと接着層１ｂとの間に設けられており、基材１ａを剥がしたときに表示する所定の文字や図形、模様等を含む。剥離層１ｄは、印刷層１ｃの表示に対応する一部と基材１ａとの間に設けられている。
【００１９】
封緘シール１は、図４に示すように、貼付け箇所である被梱包物６側や梱包材７に貼り付けられた後に剥がされたとき、基材１ａと接着層１ｂとが分離すると共に、印刷層１ｃの一部と基材１ａとが剥離層１ｄによって分離する。これにより、封緘シール１が剥がされたとき、被梱包物６側や梱包材７に接着された接着層１ｂ側に印刷層１ｃの一部が残り、基材１ａ側に印刷層１ｃの他の部分が残る。このように印刷層１ｃが接着層１ｂ側と基材１ａ側とに部分的に分離することで、印刷層１ｃの一部に対応する所定の文字や模様等の表示が現れる。このように、封緘シール１は、貼り付けられた後に剥がされたとき、被梱包物６側や梱包材７に接着された接着層１ｂ側、及び接着層１ｂから剥離した基材１ａ側に所定の表示がそれぞれ現れる。これにより、図５及び図６に示すように、封緘シール１が剥がされたことが容易に判別可能となる。
【００２０】
なお、封緘シール１は、上述した構成に限定するものではなく、印刷層１ｃを有していない他の構成であってもよい。また、封緘シール１としては、被梱包物６や梱包材７に貼り付け後に剥がしたときに、接着層１ｂと基材１ａとの部分的な剥離に伴って、印刷層１ｃにおける文字や図形、模様等の表示が変化する構造であってもよい。
【００２１】
ここで、図１及び図２において、封緘シール１の幅方向をＷとし、長手方向をＬとする。そして、実施例１における封緘シール１は、帯状に形成されており、図１及び図２に示すように、帯状の第１の貼付け片１３と、矩形枠状の第２の貼付け片１４と、を有する。第１の貼付け片１３は、第２の貼付け片１４の内側に配置されており、長手方向Ｌの一端が、第２の貼付け片１４の内側に連結されている。言い換えると、第１の貼付け片１３は、封緘シール１の幅方向Ｗにおける中央かつ長手方向Ｌにおける中央が、幅方向Ｗの両端及び長手方向Ｌの一端から分離されて形成されている。第２の貼付け片１４は、第１の貼付け片１３の周囲に形成されている。
【００２２】
そして、封緘シール１は、図７に示すように、一端側の第１の貼付け片１３が被梱包物６に貼り付けられると共に、他端側の第２の貼付け片１４が、被梱包物６が梱包された梱包材７を封じた封止部１２に貼り付けられる。図２に示すように、第１の貼付け片１３と第２の貼付け片１４は、封緘シール１の厚み方向に対して分離することで、第１及び第２の貼付け片１３，１４をそれぞれ独立して取り扱うことが可能とされている。
【００２３】
また、第１の貼付け片１３及び第２の貼付け片１４の長手方向Ｌにおける長さは、第１の貼付け片１３を被梱包物６に貼り付けた後に、第２の貼付け片１４を梱包材７の外側へ引き回すために適正な遊びが確保されている。
【００２４】
図８は、実施例１の封緘シール１を用いて、被梱包物６を梱包した梱包材７を示す平面図である。図８に示すように、梱包材７には、接着テープ１１によって封じられた封止部１２が形成される。封緘シール１は、封止部１２に重なるように第２の貼付け片１４が貼り付けられる。
【００２５】
なお、封緘シール１の第１の貼付け片１３及び第２の貼付け片１４は、被梱包物６や梱包材７に貼り付ける貼付け面積が広い方が好ましい。これは、第１の貼付け片１３及び第２の貼付け片１４を剥がしたときに文字や模様が現れる表示領域が広くなるので、第１の貼付け片１３及び第２の貼付け片１４を剥がしたか否かの判別性が高められる。
【００２６】
また、本実施例１では、被梱包物６として、例えば、代替品としてユーザに届けられるハードディスクドライブ装置等の電子部品が用いられているが、被梱包物６を限定するものではない。被梱包物６としては、代替品の他、発送元と発送先との間で往復する物品、すなわち発送後に発送先から返送されることを前提した物品であれば、いずれの物品であってもよい。
【００２７】
（梱包材の構成）
図９は、実施例１において、梱包材７に被梱包物６が収容される状態を示す斜視図である。図９に示すように、梱包材７は、被梱包物６を収容可能な直方体状の梱包箱として構成されており、いわゆる段ボール箱が用いられている。なお、本実施例１では、梱包材７の一例として、段ボール箱が用いられたが、梱包材７の形態や材質を限定するものではない。梱包材７としては、被梱包物６の収容や包装を行うためのものであれば、発泡スチロール製の容器等の各種の収容ケースや、被梱包物を包装する包装紙が用いられてもよい。この場合、封緘シール１は、包装紙や容器の蓋体を封じる封止部に、第２の貼付け片１４が貼り付けられる。
【００２８】
箱状の梱包材７は、図９に示すように、被梱包物６を出し入れする開口部８と、開口部８の周囲に設けられた一組の内フラップ１０ａ及び一組の外フラップ１０ｂと、を有する。梱包材７の開口部８は、一組の内フラップ１０ａによって閉じられ、その後、一組の外フラップ１０ｂによって閉じられる。開口部８が閉じられた梱包材７は、一組の外フラップ１０ｂ間の境界部、外フラップ１０ｂの周縁部に沿って接着テープ１１が貼り付けられることで、開口部８を封じた封止部１２が形成される。また、接着テープ１１としては、例えばクラフト粘着テープや布粘着テープが用いられる。
【００２９】
なお、実施例１では、封緘シール１全体にわたって接着層１ｂを有するように形成されたが、両端部のみに接着層１ｂが部分的に設けられ、両端部の間に接着層１ｂが設けられない構成であってもよい。例えば、封緘シール部としての両端部と、両端部を連結する連結部とを有する構成によれば、連結部を簡素に形成できるので、封緘シールの製造コストを低減することが可能になる。
【００３０】
（封緘シールが貼り付けられる状態）
以上のように構成された封緘シール１を用いる手順について図面を参照して説明する。図１０は、実施例１において、被梱包物６に封緘シール１が貼り付けられた状態を示す斜視図である。図１１は、実施例１において、封緘シール１が貼り付けられた被梱包物６が、梱包材７によって梱包される状態を示す斜視図である。図１２は、実施例１において、被梱包物６に貼り付けられた封緘シール１が、梱包材７の外側に引き出される状態を示す斜視図である。図１３は、実施例１において、被梱包物６を梱包した梱包材７が封じられた状態を示す斜視図である。図１４は、実施例１において、梱包材７の封止部１２に沿って封緘シール１が貼り付けられた状態を示す斜視図である。
【００３１】
まず、図９に示すように、被梱包物６が、箱状の梱包材７の開口部８から梱包材７の内部に収容される。続いて、封緘シール１は、枠状の第２の貼付け片１４の内側から第１の貼付け片１３が引き離される。そして、封緘シール１の第１の貼付け片１３は、図１０に示すように、梱包材７に収容された被梱包物６の上部に貼り付けられる。
【００３２】
このとき、第１の貼付け片１３は、例えば、被梱包物６を包装する包装材（不図示）に貼り付けられるが、被梱包物６に直接貼り付けられてもよい。第１の貼付け片１３は、被梱包物６の使用時に封緘シール１を剥がす必要がある位置であれば、被梱包物６や被梱包物６を包む包装紙や緩衝材等の包装材のいずれの位置に貼り付けられてもよい。したがって、第１の貼付け片１３は、被梱包物６に直接的または包装材等を介して間接的に貼り付けられてもよい。すなわち、本実施例では、第１の貼付け片１３が貼り付けられる対象として、被梱包物６や、被梱包物６自身の包装材（梱包材）を含めて指している。
【００３３】
次に、図１１に示すように、梱包材７の開口部８を塞ぐように一組の内フラップ１０ａを閉じると共に、被梱包物６に貼り付けられた第１の貼付け片１３を、梱包材７の内部から、内フラップ１０ａ間の隙間を通して梱包材７の外側へ延ばすように引き回す。続いて、図１２に示すように、梱包材７の内部から引き出された第１の貼付け片１３を、開口部８を閉じた内フラップ１０ａに沿って配置し、第２の貼付け片１４を梱包材７の外側まで引き出す。
【００３４】
このように、第２の貼付け片１４が梱包材７の外側に引き出された状態で、図１３に示すように、梱包材７の一組の外フラップ１０ｂを閉じることで、開口部８が閉じられる。続いて、開口部８を閉じた一組の外フラップ１０ｂ同士の境界部に沿って接着テープ１１を貼り付けると共に、外フラップ１０ｂの周縁部に沿って接着テープ１１を貼り付ける。これによって、梱包材７を閉じた外フラップ１０ｂを封じた封止部１２が形成される。
【００３５】
最後に、封緘シール１の第２の貼付け片１４を、図１４に示すように、外フラップ１０ｂ同士の境界部に沿った封止部１２の少なくとも一部を覆うように貼り付ける。このように第２の貼付け片１４が封止部１２に貼り付けられることによって、封止部１２を封止した接着テープ１１を剥がすことで、接着テープ１１と共に第２の貼付け片１４も一緒に剥がされる。したがって、第２の貼付け片１４は、封止部１２の開封と共に自然に剥がされるので、梱包材７の開封の有無の判別性を高める上で好ましい。なお、封緘シール１の第２の貼付け片１４は、必要に応じて、封止部１２以外の箇所に貼り付けられてもよい。上述したように、封緘シール１は、第１の貼付け片１３が被梱包物６に貼り付けられると共に、第２の貼付け片１４が梱包材７の封止部１２に貼り付けられる。
【００３６】
以上のように封緘シール１が貼り付けられた状態で、被梱包物６を梱包した梱包材７は、ユーザに届けられる。梱包材７が開封される場合には、封止部１２を封じた接着テープ１１が、ユーザまたは修理員によって剥がされることにより、封緘シール１の第２の貼付け片１４が封止部１２から剥がされる。このとき、封緘シール１の第２の貼付け片１４は、梱包材７から剥がされることに伴って、接着層１ｂと基材１ａとの間で分離し、所定の文字等の表示が現れる。これにより、梱包材７が開封されたことが判別可能になる。
【００３７】
続いて、ユーザまたは修理員は、梱包材７を開封した後、被梱包物６を使用するために被梱包物６を梱包材７から取り出すときに、封緘シール１の第１の貼付け片１３が、被梱包物６から剥がれる。このとき、封緘シール１の第１の貼付け片１３は、被梱包物６から剥がされることに伴って、接着層１ｂと基材１ａとの間で分離し、図１５に示すように、所定の文字等の表示が現れる。これにより、梱包材７から被梱包物６が取り出されて、被梱包物６が使用されたことが判別可能になる。
【００３８】
また、封緘シール１においては、第１及び第２の貼付け片１３，１４が剥がされた場合に、梱包材７の外側に第１及び第２の貼付け片１３，１４を再度貼り付けるように取り扱うことが可能である。剥がされた第１及び第２の貼付け片１３，１４を梱包材７の外側に貼り付けることで、梱包材７を開封せずに梱包材７の外側から封緘シール１を目視するだけで、梱包材７の開封と、被梱包物６の使用とを容易かつ迅速に判別することが可能になる。
【００３９】
また、上述した封緘シール１を用いる実施例の梱包方法は、第１のステップと、第２のステップとを有する。第１のステップは、貼り付け後に剥がしたときに、接着層１ｂと基材１ａとの部分的な剥離に伴って表示が現れる封緘シール１の一端を被梱包物６に貼り付ける。また、第２のステップは、封緘シール１の一端が貼り付けられた被梱包物６を梱包材７によって梱包すると共に、封緘シール１の他端を、梱包材７を封じた封止部１２に貼り付ける。
【００４０】
（実施例１の効果）
実施例１の封緘シール１は、基材１ａと、基材１ａに対して部分的に剥離可能に設けられて剥離に伴って表示が現れる接着層１ｂとを有する。そして、封緘シール１は、被梱包物６に一端が貼り付けられると共に、被梱包物６が梱包された梱包材７を封じた封止部１２に他端が貼り付けられる。これによって、封緘シール１の貼付け状態を目視することで、梱包材７の開封の有無と共に被梱包物６の使用の有無を容易に判別可能にすることができる。
【００４１】
また、封緘シール１は、被梱包物６に貼り付ける第１の貼付け片１３が、梱包材７に貼り付ける第２の貼付け片１４と連結されている。被梱包物６と梱包材７の封止部１２とにそれぞれ貼り付ける専用の封緘シールを用いる場合には、２種類の封緘シールの管理や取扱いが煩雑であり、被梱包物６に封緘シールを貼り忘れが起きるおそれがあった。一方、実施例の封緘シール１は、梱包材７の封止部１２に貼り付ける第２の貼付け片１４に、被梱包物６に貼り付ける第１の貼付け片１３が連結されているので、封緘シール１の管理や取扱いが簡素化され、被梱包物６への第１の貼付け片１３の貼り忘れが起きることを防ぐことができる。
【００４２】
また、第１の貼付け片１３が被梱包物６から剥がされた場合には、第１の貼付け片１３及び第２の貼付け片１４を梱包材７の外側に貼り付けるように取り扱うことが好ましい。このように封緘シール１を取り扱うことで、梱包材７内の被梱包物６における第１の貼付け片１３の貼付け状態を確認することなく、梱包材７の外側から見るだけで被梱包物６の使用の有無を容易に判別可能になる。
【００４３】
特に、このような取扱いを行うとき、２種類の封緘シールを用いる場合には、被梱包物６から剥がした内側の封緘シールを梱包材７の外側に貼り忘れたり、貼り付ける前に紛失したりするおそれがある。また、梱包材７の外側に貼り付けられた２種類の封緘シールの貼付け位置がバラツキ、封緘シールの確認が煩雑になる。一方、実施例１の封緘シール１によれば、梱包材７から剥がした第２の貼付け片１４に第１の貼付け片１３が連結されているので、例えば、封止部１２から剥がした第２の貼付け片１４を梱包材７の外側に貼り付けることで、被梱包物６から剥がした第１の貼付け片１３を梱包材７の外側に貼り付けるときに、第１の貼付け片１３の貼り忘れや紛失を防ぐことが可能になる。また、第１の貼付け片１３と第２の貼付け片１４とが連結されているので、梱包材７の外側に貼り付けられた第１及び第２の貼付け片１３，１４を容易に確認することが可能になる。このように、封緘シール１を用いることで、被梱包物６と梱包材７にそれぞれ個別の封緘シールを用いる場合に比べて、判別の信頼性が高められる。
【００４４】
また、被梱包物６としての代替品をユーザに発送するサポートセンタにおいて封緘シール１を用いることで、ユーザから代替品や故障部品が返送されたときに、梱包材７の開封の有無と共に代替品の使用の有無を容易に判別可能にすることができる。このため、ユーザから返送された代替品や故障部品を管理する管理センターにおいて、梱包材７の開封の有無、代替品の使用の有無に関する管理情報を誤って記録することも防ぐことが可能になる。その結果、管理センターにおいて、誤った管理情報に基づいて管理が行われることを防ぎ、未使用の代替品の廃棄や、故障部品を代替品として再利用してしまう問題を防ぐことが可能になる。
【００４５】
また、実施例１における封緘シール１は、帯状の第１の貼付け片１３が、枠状の第２の貼付け片１４の内側に配置され、第１の貼付け片１３の長手方向Ｌの一端が、第２の貼付け片１４の内側に連結されている。これにより、第１の貼付け片１３と第２の貼付け片１４を１枚の封緘シール１にコンパクトにまとめて配置することができるので、封緘シール１全体が長尺になることを抑え、封緘シール１の小型化を図ることができる。
【００４６】
なお、実施例１における封緘シール１は、第１及び第２の貼付け片１３，１４を有して構成されたが、必要に応じて３つ以上の貼付け片を有するように構成されてもよい。例えば、梱包材７に複数の被梱包物６を収容する場合には、各被梱包物６側にそれぞれ貼付けられる複数の貼付け片を有するように封緘シールが構成されてもよい。このように構成された他の実施例について、図面を参照して以下説明する。なお、他の実施例において、実施例１と同様の構成部材については、詳細な説明を省略する。
【００４７】
［実施例２］
図１６は、実施例２の封緘シールを示す平面図である。実施例２は、複数の第１の貼付け片を有する点が、実施例１と異なる。図１６に示すように、実施例２の封緘シール２は、帯状に形成されており、複数の被梱包物６のそれぞれに貼り付けられる複数の第１の貼付け片２３と、梱包材７に貼り付けられる第２の貼付け片２４と、を有する。帯状の複数の第１の貼付け片２３は、幅方向に対して並んで、矩形枠状の第２の貼付け片２４の内側に配置されている。各第１の貼付け片２３の長手方向Ｌにおける一端は、第２の貼付け片２４の内側に連結されている。
【００４８】
上述のように構成された封緘シール２は、複数の第１の貼付け片２３が、複数の被梱包物６にそれぞれ貼り付けられる。そして、複数の被梱包物６が梱包された梱包材７を封じた後、第２の貼付け片２４が、梱包材７の封止部１２に貼り付けられる。
【００４９】
（実施例２の効果）
実施例２においても、実施例１と同様に、封緘シール２の貼付け状態に基づいて、梱包材７の開封の有無と共に、被梱包物６の使用の有無を容易に判別することができる。また、実施例２においても、第１の貼付け片２３と第２の貼付け片２４を１枚の封緘シール２にコンパクトにまとめて配置することができるので、封緘シール２の小型化を図ることができる。
【００５０】
また、実施例２によれば、１つの梱包材７によって複数の被梱包物６を梱包する場合に好適であり、個々の被梱包物６の使用の有無をそれぞれ判別することが可能になる。
【００５１】
［実施例３］
図１７は、実施例３の封緘シールを示す平面図である。実施例３は、実施例２と同様に、複数の第１の貼付け片を有する点が実施例１と異なる。図１７に示すように、実施例３の封緘シール３は、帯状に形成されており、複数の被梱包物６のそれぞれに貼り付けられる複数の第１の貼付け片３３と、梱包材７に貼り付けられる第２の貼付け片３４と、を有する。
【００５２】
封緘シール３の一端側には、複数の第１の貼付け片３３が幅方向に並んで配置されている。封緘シール３の他端側には、第２の貼付け片３４が配置されており、第２の貼付け片３４と各第１の貼付け片３３とが連結されている。実施例３では、第１の貼付け片３３と第２の貼付け片３４とが両端側に向かって互いに逆向きに延びているので、実施例１のように第１の貼付け片３３と第２の貼付け片３４を厚み方向に引き離すことなく容易に引き回すことが可能になる。
【００５３】
上述のように構成された実施例３では、第２の貼付け片３４を封止部１２に貼り付けるために、各第１の貼付け片３３が、封緘シール３の接着層１ｂ（接着面）が上側を向くように各被梱包物６の例えば底面や側面に貼り付けられる。続いて、第１及び第２の貼付け片３３，３４の接着層１ｂを上側に向けた状態で、第２の貼付け片３４が内フラップ１０ａと外フラップ１０ｂとの間を通って、梱包材７の外へ引き出される。そして、第２の貼付け片３４は、梱包材７を封じた後、梱包材７の封止部１２に貼り付けられる。
【００５４】
また、変形例として、実施例３の封緘シール３は、図示しないが、第１の貼付け片３３と第２の貼付け片３４とにおいて、接着層１ｂが、基材１ａを挟んで対向する側に形成されてもよい。この構成によれば、第１及び第２の貼付け片３３，３４を被梱包物６及び梱包材７にそれぞれ貼り付けるときに、封緘シール３を実施例１の封緘シール１と同様の貼り付け状態で引き回すことが可能になる。
【００５５】
（実施例３の効果）
実施例３においても、実施例１，２と同様に、封緘シール３の貼付け状態に基づいて、梱包材７の開封の有無と共に、被梱包物６の使用の有無を容易に判別することができる。
【００５６】
また、実施例３によれば、実施例２に比べて簡素な形状で、実施例２と同様に、１つの梱包材７によって複数の被梱包物６を梱包する場合に好適であり、個々の被梱包物６の使用の有無をそれぞれ判別することが可能になる。
【００５７】
なお、図示しないが、封緘シールは、例えば、帯状の第１の貼付け片の長手方向における両端側から短辺方向に間隔をあけながら交互に切り込みを形成することで、第１の貼付け片が切り込みに沿ってジグザグ状に伸縮するように構成されてもよい。このように構成された封緘シールによれば、第１の貼付け片をコンパクトな形状に形成すると共に、第１の貼付け片の長さを十分に確保することが可能になる。
【符号の説明】
【００５８】
１  封緘シール
１ａ  基材
１ｂ  接着層
１ｃ  印刷層
１ｄ  剥離層
６  被梱包物
７  梱包材
８  開口部
１０ａ  内フラップ
１０ｂ  外フラップ
１１  接着テープ
１２  封止部
１３  第１の貼付け片
１４  第２の貼付け片
【図１】
0006516518.tif 000002
【図２】
0006516518.tif 000003
【図３】
0006516518.tif 000004
【図４】
0006516518.tif 000005
【図５】
0006516518.tif 000006
【図６】
0006516518.tif 000007
【図７】
0006516518.tif 000008
【図８】
0006516518.tif 000009
【図９】
0006516518.tif 000010
【図１０】
0006516518.tif 000011
【図１１】
0006516518.tif 000012
【図１２】
0006516518.tif 000013
【図１３】
0006516518.tif 000014
【図１４】
0006516518.tif 000015
【図１５】
0006516518.tif 000016
【図１６】
0006516518.tif 000017
【図１７】
0006516518.tif 000018